(57)【特許請求の範囲】
【請求項１】
魚釣りに用いる釣竿の竿体に装着される釣糸ガイドであって、
前記竿体の外周面に固定される固定部と、
前記固定部に連続して設けられ、釣糸が挿通される硬質のリング部材を有する本体部とを備え、
前記固定部と前記本体部上のリング部材とが前記竿体の軸方向において３０ｍｍ以上変位し、
前記釣糸ガイドは中通し竿の釣糸導入口付近に装着される釣糸導入ガイドであり、
前記固定部は前記釣糸導入口付近の竿体外周面に固定され、前記本体部は前記固定部より竿元側に向かって延び、前記固定部は前記釣糸導入口の穂先側外周面に固定される第１固定部と前記釣糸導入口の竿元側外周面に固定される第２固定部とを有し、
前記本体部は前記第２固定部より竿元側に向かって延び、前記固定部と前記リング部材とは前記竿体の軸方向において３０ｍｍ以上変位している釣糸ガイド。
【請求項２】
前記第１固定部と前記第２固定部との間の前記本体部上に設けられる補助リング部材をさらに備える、請求項１に記載の釣糸ガイド。
【発明の詳細な説明】
【０００１】
【発明の属する技術分野】
本発明は、竿体の外周面に固定された釣糸を挿通する釣糸ガイドを有する釣竿に関する。
【０００２】
【従来の技術】
魚釣りに用いる釣竿の外周面には、釣糸ガイドが設けられている。この釣糸ガイドは、釣糸が挿通可能なセラミック製のリング部と、リング部を保持する本体部と、本体部の端部に形成され竿体周面に固定される固定部とを有している。
【０００３】
【発明が解決しようとする課題】
従来の釣糸ガイドは竿体に固定される固定部とリング部との位置は、竿体の軸方向において見るにほぼ同位置にされている。即ち、固定部より竿体断面垂直方向に延びた本体部にリング部が配置されたり、竿体断面垂直方向よりやや斜めに延びた本体部にリング部が配置される等して、固定部とリング部とはほぼ同位置に存在するのである。
【０００４】
確かに、このように固定部とリング部とが接近してほぼ同位置に存在する方が、挿通する釣糸より大きな加重がかかるリング部を固定部が強固に支えることができる点で好ましい。
しかし、釣糸ガイドからの加重を受けるに好ましい竿体上の軸方向位置と、リールからの釣糸を支えるのに好ましいリング部の存在するべき軸方向位置とは必ずしも一致するものではなく、両者の軸方向位置を変位させる必要がある。そして、釣糸ガイドの強度の問題は釣糸ガイドの材質特性によって担保できる。
【０００５】
本発明の課題は、釣糸の収束性を十分に担保しつつ竿体における良好な配置バランスを有する釣糸ガイドを提供することにある。
【０００６】
【課題を解決するための手段】
発明１に係る釣糸ガイドは、魚釣りに用いる釣竿の竿体に装着される釣糸ガイドであって、竿体の外周面に固定される固定部と、固定部に連続して設けられ、釣糸が挿通される硬質のリング部材を有する本体部とを備えている。そして、固定部と本体部上のリング部材とが竿体の軸方向において３０ｍｍ以上変位している。
釣糸ガイドは中通し竿の釣糸導入口付近に装着される釣糸導入ガイドであり、固定部は釣糸導入口付近の竿体外周面に固定され、本体部は固定部より竿元側に向かって延びている。
固定部は釣糸導入口の穂先側外周面に固定される第１固定部と釣糸導入口の竿元側外周面に固定される第２固定部とを有し、本体部は第２固定部より竿元側に向かって延び、固定部とリング部材とは竿体の軸方向において３０ｍｍ以上変位している。
【０００７】
この釣糸ガイドでは、固定部が釣糸ガイド全体を支持しつつ竿体に固定され、釣糸ガイドから竿体への加重はこの固定部から竿体へ加えられる。一方で、本体部のリング部材はリールから螺旋状に導出される釣糸を収束させつつ支持する。そして、この固定部と釣糸を支えるリング部材とは竿体の軸方向において３０mm以上変位しており、両者の位置を任意に設定できるので、良好な竿体への加重位置と釣糸支持位置とを同時に演出できる。
【０００８】
この釣糸ガイドは中通し竿に装着される釣糸導入ガイドであり、本体部は固定部より竿元側に延びて、その竿元側にリング部材が配置されることになる。このような釣糸ガイドでは、釣糸導入口付近に位置する固定部が釣糸導入口付近において釣糸ガイドからの加重を竿体へかけて、釣糸導入口とリールとの間で竿体に負荷をかけることなく、釣糸導入口より穂先側からの適度な釣竿の湾曲を演出する。また、この固定部は釣糸導入口を保護することにもなる。一方で、リング部材は釣糸導入口より竿元側（リール側）に位置することで、リールから釣糸導入口へ至る釣糸の収束をより円滑なものとする。
【０００９】
この場合には、固定部を２カ所にすることで、釣糸ガイドの安定性をより向上させている。
【００１０】
発明２に係る釣糸ガイドは、発明１のガイドであって、第１固定部と第２固定部との間の本体部上に設けられる補助リング部材をさらに備える。この場合には、補助リング部材がリング部材から釣糸導入口への挿入をより円滑なものとする。
【００１１】
【発明の実施の形態】
［第１実施形態］以下、本発明の第１実施形態について図面を参照しつつ説明する。図１に示すように、本発明の第１実施形態を採用した釣竿は、元竿１と元竿１の穂先側に順次振出形式で連結される第１中竿２〜第３中竿４と第３中竿４の穂先側に連結される穂先竿５とを有している。これら元竿１〜穂先竿５は炭素繊維等の強化繊維に合成樹脂を含浸させたプリプレグから構成される先細り筒状部材である。そして、元竿１には、竿元側端部に脱着自在に固定された尻栓１０が配置され、竿元側周面にはリール７を脱着自在に装着可能なリールシート８が設けられている。また、第１中竿２の穂先側周面にはリール７からの釣糸Ｌを竿体内に挿入するための釣糸導入口９が設けられており、この釣糸導入口９付近には釣糸ガイドが配置されている。一方、穂先竿５の穂先側先端にはトップガイド６が連結されており、リール７からの釣糸Ｌは釣糸導入ガイド２０に支えられつつ釣糸導入口９から竿体内に挿入され、穂先竿５のトップガイド６から外部に導出される。
【００１２】
図２に示すように、釣糸導入ガイド２０は、釣糸導入口９の穂先側において第１中竿２に接する第１固定部２１と、釣糸導入口９の竿元側において第１中竿２に接する第２固定部２２と、釣糸導入口９を跨ぐようにして第１固定部２１と第２固定部２２とを連結しつつ第２固定部２２より竿元側斜め上方に延びる本体部２３とを有している。そして、この本体部２３は、竿元側端部にリング部材２４と、第１固定部２１と第２固定部２２との間であり釣糸導入口９上方に位置する補助リング部材２５とを有している。
【００１３】
第１固定部２１及び第２固定部２２は巻糸２６によって第１中竿２に巻回され固定されている。この巻糸２６は第１固定部２１及び第２固定部２２をそれぞれ第１中竿２と共に巻回しており、合成樹脂等によってコーティングされている。
本体部２３は第１固定部２１及び第２固定部２２と一体的に構成された金属製の部材である。この本体部２３は、第１固定部２１と第２固定部２２との間を橋架状に跨く部分とさらに竿元側に延びる部分とに区分される。この竿元側に延びる部分は、第２固定部２２から竿元側に延びる下部と、架橋状に跨ぐ部分から竿元側に延びる上部とからなり、この上部と下部とが竿元側端部において連結され、この連結された部分にリング部材２４が装着されている。このリング部材２４はセラミック等の硬質部材からなるリング状の部材であり、釣糸Ｌがその中を挿通して支持されることになる。なお、この第２固定部２２とリング部材２４との軸方向距離はおよそ３０〜７０ｍｍ程度、好ましくは４０〜７０mm、さらに好ましくは５０〜７０mm程度離れている。
【００１４】
また、本体部２３の架橋状に跨ぐ部分の登頂付近には、本体部２３と第１中竿２との間の空間にセラミック製の補助リング部材２５が吊り下げられた状態で連結されている。この補助リング部材２５も釣糸Ｌが挿通するものであり、釣糸Ｌを支持することになる。
このように構成された釣竿では、リール７から導出される釣糸Ｌは、釣糸導入ガイド２０のリング部材２４及び補助リング部材２５とを順次挿通して、釣糸導入口９より第２中竿２内に導入される。そして、穂先側に導かれて穂先竿６のトップガイド６より外部に導出される。
【００１５】
ここで、釣糸導入ガイド２０は、釣糸導入口９の穂先側と竿元側の第１固定部２１及び第２固定部２２で第１中竿２に固定されており、その固定強度は十分に保たれている。また、この第１固定部２１と第２固定部２２とを連結する本体部２３が釣糸導入口９を跨いで覆っており、釣糸導入口９の損傷を防止している。さらに、釣糸Ｌから釣糸導入ガイド２０を介して第２中竿２に加わる加重は、第１固定部２１及び第２固定部２２より第１中竿２に加えられるので、釣糸導入口９とリール７との間で竿体に負荷が加わるものではなく、釣糸導入口９より穂先側からの適度な釣竿の湾曲を演出できる。
【００１６】
一方で、リング部材２４は釣糸導入口９及び第２固定部２２より離れてよりリール７側に位置するので、リング部材２４がリール７から螺旋状に導出される釣糸Ｌを適度に収束させて、釣糸導入口９へ至る釣糸Ｌの収束をより円滑なものとする。なお、この釣糸導入ガイド２０では補助リング部材２５が配置されているので、リング部材２４により螺旋状の導出状態が収束された釣糸Ｌを、さらに釣糸導入口９に向かってより収束させて安定した状態で釣糸導入口９に釣糸Ｌを導入できる。
【００１７】
［第２実施形態］以下、本発明の第２実施形態について、図面を参照しつつ説明する。図３に示すように、本発明の第２実施形態を採用した釣竿は、元竿１と元竿１の穂先側に順次振出形式で連結される第１中竿２〜第３中竿４と第３中竿４の穂先側に連結される穂先竿５とを有している。これら元竿１〜穂先竿５は炭素繊維等の強化繊維に合成樹脂を含浸させたプリプレグから構成される先細り筒状部材である。そして、元竿１には、竿元側端部に脱着自在に固定された尻栓１０が配置され、竿元側周面にはリール７を脱着自在に装着可能なリールシートが設けられている。また、第１中竿２〜穂先竿５の周面には、間隔を隔てて複数の釣糸ガイド３０が配置されており、リール７からの釣糸Ｌは釣糸ガイド３０に支持されつつトップガイド６へと導かれることになる。
【００１８】
図４に示すように、釣糸ガイド３０は、第１中竿２に接する固定部３１と、固定部３１より軸方向竿元側に延びる本体部３３と、本体部３３の竿元側端部に配置されるリング部材３４とを有している。
固定部３１は、第１実施形態と同様に第１中竿２の周面に接しつつ、巻糸３６によって第１中竿２に巻回され固定されている。そして、この巻糸３６は合成樹脂等によってコーティングされている。なお、固定部３１はそれ自体がパイプ状に形成されて第１中竿２が挿通し固定される態様を採用することも可能である。
【００１９】
本体部３３は固定部３１と一体的に構成された金属製の部材である。固定部３１より竿元側に第１中竿２に沿って延びた後、略直角に屈曲して垂直方向に延びた後、再度第１中竿２の軸方向に屈曲して徐々に第１中竿２の周面より離れるように傾きながら軸方向に延びている。そして、本体部３３の竿元側端部は再度略直角に屈曲して起立し、ここにセラミック製のリング部材３４がはめ込まれて固定されている。この固定部３１とリング部材３４との軸方向距離はおよそ３０〜５０mm程度離れている。なお、このリング部材３４は第１実施形態と同様のものを用いることができる。また、第１中竿２以外の竿体に装着される釣糸ガイド３０も、ここで説明した第１中竿２に装着される釣糸ガイド３０と同様である。
【００２０】
このように構成される釣竿の釣糸ガイド３０では、固定部３１が釣糸ガイド３０全体を支持しつつ第１中竿２に固定されており、釣糸ガイド３０から第１中竿２への加重はこの固定部３１から加えられる。一方で、リング部材３４は本体部３３の竿元側先端に配置され、リール７から螺旋状に導出される釣糸Ｌを収束させつつ支持する。そして、この固定部３１と釣糸Ｌを支えるリング部材３４とは軸方向において３０mm以上変位しており、両者の位置を任意に設定可能である。これにより、良好な竿体への加重位置と釣糸支持位置とを同時に演出できる。特に、本実施形態のようにリング部材３４の位置を固定部３１より竿元側に変位させることにより、釣糸ガイドの竿体への加重位置に比べてリング部材３４による釣糸Ｌの収束性を大きく保つことが可能となる。
【００２１】
［第３実施形態］
以下、本発明の第３実施形態について、図面を参照しつつ説明する。
本発明の第３実施形態を採用した釣竿は、第２実施形態と同様に、第１中竿２〜穂先竿５の周面に配置される釣糸ガイド４０を有している。
図５及び図６に示すように、釣糸ガイド４０は、第１中竿２に接する固定部４１と、固定部４１より軸方向竿元側に延びる本体部４３と、本体部４３の竿元側端部に配置されるリング部材４４とを有している。
【００２２】
固定部４１は、第２実施形態と同様に第１中竿２の周面に接しつつ、巻糸４７によって第１中竿２に巻回され固定されている。そして、この巻糸４７は合成樹脂等によってコーティングされている。本体部４３は固定部４１と一体的に構成された金属製の部材である。本体部４３は、固定部４１より竿元側に第１中竿２に沿って延び第１中竿２方向に湾曲しつつ徐々に第１中竿２より離れてゆく下部と、固定部４１より竿元側斜め上方に延びる上部とから構成されている。この上部には長さ方向に孔４３ａが設けられている。そしてこの上部と下部とが竿元側端部において一体化しており、この一体化して竿元側端部の下部にリング部材４４がはめ込まれて固定されている。なお、この固定部４１とリング部材４４との軸方向距離はおよそ３０ｍｍ程度離れている。
【００２３】
このように構成される釣竿の釣糸ガイド４０では、第２実施形態と同様の作用効果を奏する。
［他の実施形態］
（ａ）釣糸ガイドの形状は上記実施形態に限定されるものではない。また、上記実施形態においては、リング部材は固定部の竿元側方向に位置しているが、これを穂先側方向に位置させることも可能である。
【００２４】
【発明の効果】
本発明に係る釣糸ガイドによれば、釣糸の収束性を十分に担保しつつ竿体における良好な配置バランスを演出できる。
【図面の簡単な説明】
【図１】本発明の第１実施形態を採用した釣竿の全体図。
【図２】図１の釣糸導入ガイド付近の拡大図。
【図３】本発明の第２実施形態を採用した釣竿の全体図。
【図４】図３の釣糸ガイド付記の拡大図。
【図５】本発明の第３実施形態を採用した釣糸ガイドの側面図。
【図６】図５の上面図。
【符号の説明】
２  第１中竿
２０  釣糸導入ガイド
２１，２２  第１固定部，第２固定部
２３  本体部
２４  リング部材
２５  補助リング部材
２６，３６，４６  巻糸
３０，４０  釣糸ガイド
３１，４１  固定部
３３，４３  本体部
３４，４４  リング部材
【図１】
0004353386.tif 000002
【図２】
0004353386.tif 000003
【図３】
0004353386.tif 000004
【図４】
0004353386.tif 000005
【図５】
0004353386.tif 000006
【図６】
0004353386.tif 000007